(57)【特許請求の範囲】
【請求項１】
ステータ巻線(3)を巻回する磁極(2)とスロット(2A)とが交互に形成された輪状ステータ(1)の内側にロータ(21)が回転自在に配設され、前記輪状ステータ(1)の両面に前記ステータ巻線(3)を覆うように一対の第１、第２輪状プラスチックカバー(7,8)を設けてなるレゾルバにおいて、
前記各輪状プラスチックカバー(7,8)のうちの一方の第２輪状プラスチックカバー(8)の第２内面(8a)に突出して形成された複数の突起(10)を有し、前記各突起(10)は前記スロット(2A)を貫通して前記第１輪状プラスチックカバー(7)の第１内面(7a)に接続されていることを特徴とするレゾルバ。
【請求項２】
前記突起(10)と第１内面(7a)との接続は、超音波による溶着によってなされていることを特徴とする請求項１記載のレゾルバ。
【発明の詳細な説明】
【０００１】
【発明の属する技術分野】
本発明は、レゾルバに関し、特に、各磁極に設けたステータ巻線を覆うための一方の輪状プラスチックカバーの突起を輪状ステータのスロットを貫通させて他方の輪状プラスチックカバーの内面に接続させ、従来よりもレゾルバの構造を簡単化及び外径の小型化を達成するための新規な改良に関する。
【０００２】
【従来の技術】
従来、用いられていたこの種のレゾルバとしては、一般に図７から図１２で示されるレゾルバ２０の構成を挙げることができる。すなわち、図７から図１２において符号１で示されるものは各磁極２にステータ巻線３が設けられた輪状ステータであり、このステータ巻線３は一対の輪状絶縁部材５，６を介し磁極２に対して直接接触することのないように設けられている。
【０００３】
前記輪状ステータ１の両面には、前記ステータ巻線３を覆うように第１、第２輪状プラスチックカバー７，８が設けられており、この第１輪状プラスチックカバー７は図９及び図１０で示されるように構成されている。
すなわち、第１輪状プラスチックカバー７の外周面には、その半径方向に沿って延びる複数の舌片９が所要の角度位置に設けられており、その外周面の一部にはこの舌片９と同様に半径方向に沿って延びる端子保持部１０が形成され、この端子保持部１０には前記ステータ巻線３が接続される端子１１が保持されている。
【０００４】
前記第２輪状プラスチックカバー８は、図１１及び図１２に示されているように、その外周面には前記各舌片９と対応した位置に前記半径方向に延びると共にこの半径方向と直交する軸方向に沿って内方へ延びる突起１０が形成されている。
従って、前述の各輪状プラスチックカバー７，８を輪状ステータ１の両面に取付けた場合、前記各突起１０が前記各舌片９と当接し、各舌片９の外面から図示しない超音波溶接治具によって超音波を照射することにより、舌片９と突起１０の当接部分が溶融して固化するため舌片９と突起１０との溶融接続が行われる。
【０００５】
【発明が解決しようとする課題】
従来のレゾルバは、以上のように構成されていたため、次のような課題が存在していた。
すなわち、各輪状プラスチックカバーに形成された舌片と突起は、その外周面に形成されているため、舌片及び突起が輪状ステータの外周面の外側に位置することになり、レゾルバの外径を小径化するための障害となると共に、その突出部分によってレゾルバを装置等に取付ける際の障害になっていた。
【０００６】
本発明は、以上のような課題を解決するためになされたもので、特に、各磁極に設けたステータ巻線を覆うための一方の輪状プラスチックカバーの突起を輪状ステータのスロットを貫通させて他方の輪状プラスチックカバーの内面に接続させ、従来よりもレゾルバの構造を簡単化及び外径の小型化を達成するようにしたレゾルバを提供することを目的とする。
【０００７】
【課題を解決するための手段】
本発明によるレゾルバは、ステータ巻線を巻回する磁極とスロットとが交互に形成された輪状ステータの内側にロータが回転自在に配設され、前記輪状ステータの両面に前記ステータ巻線を覆うように一対の第１、第２輪状プラスチックカバーを設けてなるレゾルバにおいて、前記各輪状プラスチックカバーのうちの一方の第２輪状プラスチックカバーの第２内面に突出して形成された複数の突起を有し、前記各突起は前記スロットを貫通して前記第１輪状プラスチックカバーの第１内面に接続されている構成であり、また、前記突起と第１内面との接続は、超音波による溶着によってなされている構成である。
【０００８】
【発明の実施の形態】
以下、図面と共に本発明によるレゾルバの好適な実施の形態について説明する。尚、従来例と同一又は同等部分については同一符号を用いて説明する。
図１から図６において符号１で示されるものは各磁極２（すなわちスロット２Ａ内）にステータ巻線３が設けられた輪状ステータであり、このステータ巻線３は一対の輪状絶縁部材（図示せず）を介し磁極２に対して直接接触することのないように設けられている。
【０００９】
前記輪状ステータ１の両面には、前記ステータ巻線３を覆うように第１、第２輪状プラスチックカバー７，８が設けられており、この第１輪状プラスチックカバー７は図３及び図４で示されるように構成されている。
すなわち、第１輪状プラスチックカバー７の第１内面７ａには、その外周面よりも内側位置において複数の当接部９が所要の角度位置に設けられており、その外周面の一部には半径方向に沿って延びる端子保持部１０が形成され、この端子保持部１０には前記ステータ巻線３が接続される端子（図示せず）が保持されるように構成されている。
【００１０】
前記第２輪状プラスチックカバー８は、図５及び図６に示されているように、その第２内面８ａでかつ外周面よりも内側位置には、軸方向に沿って内側へ向けて突出する複数の突起１０が形成されており、この各突起１０は前記スロット２Ａを貫通して前記当接部９に当接して接続されるように構成されている。
尚、前記輪状ステータ１の内側には、例えば非真円形状でかつロータ巻線を有しない構成からなる周知のバリアブルリラクタンス型のロータ２１が回転自在に配設されている。
【００１１】
前記各突起１０と各当接部９との接続は接着剤でも可能であるが、この各当接部９の外面の溶接部３０から図示しない超音波溶接治具によって超音波を照射することにより、当接部９と突起１０の当接部分が溶融して固化するため、当接部９と突起１０との溶融接続が行われ、その結果、突起１０と第１内面７ａとが接続されたことになる。
【００１２】
【発明の効果】
本発明によるレゾルバは、以上のように構成されているため、次のような効果を得ることができる。
すなわち、各輪状プラスチックカバーを接続するための突起が輪状ステータのスロットを貫通して当接部に接続されているため、各突起が従来のように輪状ステータの外側に位置することがないため、レゾルバの外径は輪状ステータの外径のみとなり、小径化が達成できる。
また、各突起が輪状ステータの外側へ位置していないため、レゾルバを装置側へ取付ける際の障害がなく、取付作業及び取付構造が従来よりも大幅に容易化できる。
【図面の簡単な説明】
【図１】本発明による第１輪状プラスチックカバーを除去したレゾルバを示すための平面図である。
【図２】図１のレゾルバに各カバーを設けた構成のＡ−Ａ断面図である。
【図３】図２の第１輪状プラスチックカバーを示す右側面図である。
【図４】図３の断面図である。
【図５】図２の第２輪状プラスチックカバーを示す左側面図である。
【図６】図５のＡ−Ｏ−Ａ断面図である。
【図７】従来のレゾルバを示す正面図である。
【図８】図７の断面図である。
【図９】図８の第１輪状プラスチックカバーを示す左側面図である。
【図１０】図９のＡ−Ｏ−Ａ断面図である。
【図１１】図８の第２輪状プラスチックカバーを示す右側面図である。
【図１２】図１１のＢ−Ｏ−Ｂ断面図である。
【符号の説明】
１    輪状ステータ
２    磁極
２Ａ    スロット
３    ステータ巻線
７    第１輪状プラスチックカバー
８    第２輪状プラスチックカバー
７ａ    第１内面
８ａ    第２内面
１０    突起
２１    ロータ
【図１】
0004090750.tif 000002
【図２】
0004090750.tif 000003
【図３】
0004090750.tif 000004
【図４】
0004090750.tif 000005
【図５】
0004090750.tif 000006
【図６】
0004090750.tif 000007
【図７】
0004090750.tif 000008
【図８】
0004090750.tif 000009
【図９】
0004090750.tif 000010
【図１０】
0004090750.tif 000011
【図１１】
0004090750.tif 000012
【図１２】
0004090750.tif 000013